(57)【要約】【課題】  自組及び他組の受信体の送受信状況が把握できる送受信システムを提供する。【解決手段】（ヘ）各組の受信体は、データを他組の受信体に向けて送信する送信手段を有すること。（ト）各組の受信体は、前記のデータを受信する受信手段を有すること。（チ）各組の受信体は、自組の受信体の送信状況データ及び他組の受信体からの受信状況データを、常時、あるいは自組の受信体が送信したとき及び他組の受信体からの受信があったとき単発的に、自組及び他組の送信体に向けて送信する送信手段を有すること。（リ）各組の送信体は、前記の送受信状況データを受信する受信手段を有すること。（ヌ）各組の送信体は、前記の受信手段で受信した送受信状況データを操縦者に伝達する送受信状況伝達手段を有すること。【選択図】  図３
2005143064.tif 000002
【特許請求の範囲】
【請求項１】
下記の要件を備えて成ることを特徴とする送受信システム。
１以上の送信体と１以上の受信体で１組を成す１以上の組において
（イ）各組の送信体と受信体は、電源を切っても消去されない、他組とは異なる共通の初期の識別データを保有すること。
（ロ）各組の送信体は、データを自組の受信体に向けて送信する送信手段を有すること。
（ハ）各組の受信体は、前記のデータを受信する受信手段を有すること。
（ニ）各組の送信体は、自組の受信体を制御する受信体制御手段を有すること。
（ホ）各組の受信体は、受信手段で受信したデータに、自組の識別データが含まれる場合だけ制御される被制御手段を有すること。
（ヘ）各組の受信体は、データを他組の受信体に向けて送信する送信手段を有すること。
（ト）各組の受信体は、前記のデータを受信する受信手段を有すること。
（チ）各組の受信体は、自組の受信体の送信状況データ及び他組の受信体からの受信状況データを、常時、あるいは自組の受信体が送信したとき及び他組の受信体からの受信があったとき単発的に、自組及び他組の送信体に向けて送信する送信手段を有すること。
（リ）各組の送信体は、前記の送受信状況データを受信する受信手段を有すること。
（ヌ）各組の送信体は、前記の受信手段で受信した送受信状況データを操縦者に伝達する送受信状況伝達手段を有すること。
【発明の詳細な説明】
【技術分野】
【０００１】  この発明は、自組の送信体で自組及び他組の受信体の送受信状況を把握できる送受信システムに関するものである。
【背景技術】
【０００２】  従来の送受信システムの中には、図１で示すようなものがある。
Ａ組には、送信体５０１ａ（受信手段５０１ａ２と自組の受信体の送受信状況伝達手段５０１ａ３を備えている）と受信体５０２ａ（送信手段５０２ａ２と受信手段５０２ａ３を備えている）がある。
Ｂ組には、送信体５０１ｂ（受信手段５０１ｂ２と自組の受信体の送受信状況伝達手段５０１ｂ３を備えている）と受信体５０２ｂ（送信手段５０２ｂ２と受信手段５０２ｂ３を備えている）がある。
このＡ組の受信体５０２ａとＢ組の受信体５０２ｂとの間で送受信のやり取りがあった場合、Ａ組の受信体５０２ａは、その状況を自組であるＡ組の送信体５０１ａに送信するので、Ａ組の操縦者はその状況を送受信状況伝達手段５０１ａ３によって把握することができる。
同様に、Ｂ組も受信体５０２ｂが、その状況を自組であるＢ組の送信体５０１ｂに送信するので、Ｂ組の操縦者はその状況を送受信状況伝達手段５０１ｂ３によって把握することができる。
【発明の開示】
【発明が解決しようとする課題】
【０００３】  この送受信システムは、次のような欠点があった。
Ａ組の操縦者は、Ｂ組の受信体５０２ｂの送受信状況を把握できない。同様に、Ｂ組の操縦者は、Ａ組の受信体５０２ａの送受信状況を把握できない。
【課題を解決するための手段】
【０００４】  このため、例えば図２で示すようなＡ組の送信体１ａで、自組の受信体２ａとＢ組の受信体２ｂの送受信状況を把握でき、Ｂ組の送信体１ｂで自組の受信体２ｂとＡ組の受信体２ａの送受信状況を把握できるような送受信システムを提供しようと考え、下記の要件を備えて成ることを特徴とする送受信システ厶を発明した。
１以上の送信体と１以上の受信体で１組を成す１以上の組において
（イ）各組の送信体と受信体は、電源を切っても消去されない、他組とは異なる共通の初期の識別データを保有すること。
（ロ）各組の送信体は、データを自組の受信体に向けて送信する送信手段を有すること。
（ハ）各組の受信体は、前記のデータを受信する受信手段を有すること。
（ニ）各組の送信体は、自組の受信体を制御する受信体制御手段を有すること。
（ホ）各組の受信体は、受信手段で受信したデータに、自組の識別データが含まれる場合だけ制御される被制御手段を有すること。
（ヘ）各組の受信体は、データを他組の受信体に向けて送信する送信手段を有すること。
（ト）各組の受信体は、前記のデータを受信する受信手段を有すること。
（チ）各組の受信体は、自組の受信体の送信状況データ及び他組の受信体からの受信状況データを、常時、あるいは自組の受信体が送信したとき及び他組の受信体からの受信があったとき単発的に、自組及び他組の送信体に向けて送信する送信手段を有すること。
（リ）各組の送信体は、前記の送受信状況データを受信する受信手段を有すること。
（ヌ）各組の送信体は、前記の受信手段で受信した送受信状況データを操縦者に伝達する送受信状況伝達手段を有すること。
【発明の効果】
【０００５】  自組の操縦者は、自組及び他組の受信体の送受信状況を把握できるようになる。
【発明を実施するための最良の形態】
【０００６】  以下、本発明を実施するための最良の形態を図面に基づいて説明する。
図３で示すように、本発明に係る送受信システムの送信体１０ａは、制御部１０ａ１を有し、制御部１０ａ１には、送信部１０ａ２、記憶部１０ａ３、受信体操作部１０ａ４、送受信状況受信部１０ａ５、被制御部１０ａ６（送受信状況伝達部１０ａ７を含む）のそれぞれが接続されている。【０００７】  制御部１０ａ１は、ＣＰＵ等を有し、記憶部１０ａ３に記憶された各種プログラムやデータに基づいて、全体的な制御を行なうものである。【０００８】  送信部１０ａ２は、発振回路と変調回路などから構成され、識別データを含むデータを、受信体に向けて電磁波により送信する。
もちろん、本発明はこれに限定されず、赤外線、音波による信号を送信するように構成しても良い。【０００９】  記憶部１０ａ３は、ＲＯＭ、ＲＡＭなどの適宜のメモリから構成されている。
ＲＯＭには、初期の識別データが記憶されている。
ＲＯＭには、識別データを含むデータを送信するための制御プログラムなどが記憶されている。
ＲＯＭには、受信したデータに自組及び他組の識別データが含まれるか否かを判定するプログラム、ＲＡＭに記憶してある自組及び他組の識別データをＲＯＭに記憶してある初期の識別データより優先的に読み取るようにしてあるプログラム、受信したデータの中から自組及び他組の識別データと制御データを読み取り、直前に記憶されているデータと比較して変化があった場合、直前に記憶してあるデータをそのデータに書き換えて記憶させ伝達させるためのプログラムなどが記憶されている。
ＲＡＭはワークエリアであり、各種データ（識別データも含む）を記憶する。【００１０】  受信体操作部１０ａ４は、複数のボタンで構成され、受信体２０ａを遠隔的に制御するために用いられる。【００１１】  送受信状況受信部１０ａ５は、受信回路と復調回路などから構成され、自組及び他組の受信体から送信される電磁波による送受信状況データを受信する。
もちろん、本発明はこれに限定されず、赤外線、音波による信号を受信するように構成しても良い。【００１２】  被制御部１０ａ６は、送受信状況伝達部１０ａ７を有し、制御部１０ａ１からのデータに基づいて制御される。【００１３】  送受信状況伝達部１０ａ７は、表示装置、発音装置、振動装置などから成り立っており、操縦者に自組及び他組の受信体の送受信状況を伝達する。【００１４】  図３で示すように、本発明に係る送受信システムの受信体２０ａは、制御部２０ａ１を有し、制御部２０ａ１には、受信部２０ａ２、記憶部２０ａ３、被制御部２０ａ４（送信部２０ａ５を含む）、受信部２０ａ６、送受信状況送信部２０ａ７のそれぞれが接続されている。【００１５】  制御部２０ａ１は、ＣＰＵ等を有し、記憶部２０ａ３に記憶された各種プログラムやデータに基づいて、全体的な制御を行なうものである。制御部２０ａ１は、受信したデータに自組及び他組の識別データが含まれる場合だけ、受信したデータを処理する。【００１６】  受信部２０ａ２は、受信回路と復調回路などから構成され、送信体から送信される電磁波による各種データを受信する。
もちろん、本発明はこれに限定されず、赤外線、音波による信号を受信するように構成しても良い。【００１７】  記憶部２０ａ３は、ＲＯＭ、ＲＡＭなどの適宜のメモリから構成されている。
ＲＯＭには、初期の識別データが記憶されている。
ＲＯＭには、識別データを含むデータを送信するための制御プログラムなどが記憶されている。
ＲＯＭには、受信したデータに自組及び他組の識別データが含まれるか否かを判定するプログラム、ＲＡＭに記憶してある自組及び他組の識別データをＲＯＭに記憶してある初期の識別データより優先的に読み取るようにしてあるプログラム、受信したデータの中から自組及び他組の識別データと制御データを読み取り、直前に記憶されているデータと比較して変化があった場合、直前に記憶してあるデータをそのデータに書き換えて記憶させ送信させるためのプログラム、受信したデータに自組及び他組の識別データが含まれる場合だけ受信したデータを処理するためのプログラムなどが記憶されている。
ＲＡＭはワークエリアであり、各種データ（識別データも含む）を記憶する。【００１８】  被制御部２０ａ４は、送信部２０ａ５を有し、制御部２０ａ１からのデータに基づいて駆動や送信を行なう。【００１９】  送信部２０ａ５は、発振回路と変調回路などから構成され、識別データを含むデータを、他組の受信体に向けて電磁波により送信する。
もちろん、本発明はこれに限定されず、赤外線、音波による信号を送信するように構成しても良い。【００２０】  受信部２０ａ６は、受信回路と復調回路などから構成され、受信体から送信される電磁波による各種データを受信する。
もちろん、本発明はこれに限定されず、赤外線、音波による信号を受信するように構成しても良い。【００２１】  送受信状況送信部２０ａ７は、発振回路と変調回路などから構成されている。
そして、自組の識別データを含むデータを、自組及び他組の送信体に向けて電磁波により、常時、あるいは単発的に送信する。常時、あるいは単発的に送信する方法はプログラムで行なう。
もちろん、本発明はこれに限定されず、赤外線、音波による信号を常時あるいは単発的に送信するように構成しても良い。【００２２】  次に、本発明により送信されるデータについて説明する。
データには送信体と受信体から送信されるものがあるが、その中でも本発明に係る特徴的なデータは、受信体の送受信状況送信部から自組及び他組の送信体に送信する、送信状況データと受信状況データである。
この送信状況データをデータ１００とし、受信状況データをデータ１１０として、その構成を図面に基づいて説明する。【００２３】  初めに送信状況データ１００の構成を図５ｄ１に基づいて説明する。
図５ｄ１は、１０１がデータ開始部、１０２が識別データ部、１０３が制御データ部、１０４がデータチェック部である。
１０４のデータチェック部でデータをチェックし、異常がなければ、１０３の制御データを実行するようになっている。
このように、すべてのデータは、データチェック部でデータをチェックし、異常がなければ、制御データを実行するようになっていて、適宜のビット数から構成されている。【００２４】  このデータ１００の制御データ部１０３は、送信部２０ａ５や送信部２０ｂ５などで送信した状況を記憶せよというデータになっている。【００２５】  そして、各組の送信体は、送受信状況受信部１０ａ５や送受信状況受信部１０ｂ５などで受信したデータ１００の識別データ部１０２と制御データ部１０３を読み取ることによって、ある識別データを保有する受信体の送信状況を把握できる。【００２６】  次に受信状況データ１１０の構成を図５ｄ２に基づいて説明する。
図５ｄ２は、１１１がデータ開始部、１１２が識別データ部、１１３が制御データ部、１１４がデータチェック部である。
このデータ１１０の制御データ部１１３は、受信部２０ａ６や受信部２０ｂ６などで受信した状況を記憶せよというデータになっている。【００２７】  そして、各組の送信体は、送受信状況受信部１０ａ５や送受信状況受信部１０ｂ５などで受信したデータ１１０の識別データ部１１２と制御データ部１１３を読み取ることによって、ある識別データを保有する受信体の受信状況を把握できる。
【実施例】
【０１０１】  まず、図３の送信体１０ａと受信体２０ａを有する組をＡ組とし、図４の送信体１０ｂと受信体２０ｂを有する組をＢ組とする。
そして、このＡ組の受信体２０ａとＢ組の受信体２０ｂとの送受信のやり取りをもとに本発明の実施例を説明する。【０１０２】  Ａ組は、図３の送信体１０ａ及び受信体２０ａの電源を入れた。送信体１０ａの記憶部１０ａ３のＲＯＭと受信体２０ａの記憶部２０ａ３のＲＯＭには、初期の識別データが既に保存されている。
次に、Ａ組の送信体１０ａ及び受信体２０ａの識別データを００１に設定する。【０１０３】  Ｂ組は、図４の送信体１０ｂ及び受信体２０ｂの電源を入れた。送信体１０ｂの記憶部１０ｂ３のＲＯＭと受信体２０ｂの記憶部２０ｂ３のＲＯＭには、初期の識別データが既に保存されている。
次に、Ｂ組の送信体１０ｂ及び受信体２０ｂの識別データを００２に設定する。【０１０４】  Ａ組は、図６の送信体１０ａにある受信体操作部１０ａ４の複数のボタン１５ａ、１５ｂ、１５ｃ・・を操作して、受信体２０ａを遠隔的に制御した。【０１０５】  Ｂ組は、図７の送信体１０ｂにある受信体操作部１０ｂ４の複数のボタン１６ａ、１６ｂ、１６ｃ・・を操作して、受信体２０ｂを遠隔的に制御した。【０１０６】  Ａ組は、図３の受信体２０ａの送信部２０ａ５から図４のＢ組の受信体２０ｂに向けて、データ２００を１回送信する。このときのデータ２００を図５ｄ３で説明する。
２０１がデータ開始部、２０２が識別データ部（ここでは識別データ００１が該当する）、２０３が制御データ部（ここでは例として識別データ００１からの受信回数を１回として記憶せよというデータが該当する）、２０４がデータチェック部である。【０１０７】  このデータ２００を１回送信すると、図３のＡ組の受信体２０ａの送受信状況送信部２０ａ７から自組及び他組の送信体に向けて、送信状況データ２１０が単発的に送信されるとともに、その後も常時送信される。このときのデータ２１０を図５ｄ４で説明する。
２１１がデータ開始部、２１２が識別データ部（ここでは識別データ００１が該当する）、２１３が制御データ部（ここでは例として識別データ００１からの送信回数を１回として記憶せよというデータが該当する）、２１４がデータチェック部である。【０１０８】  図３のＡ組の受信体２０ａの送受信状況送信部２０ａ７から常時あるいは単発的に送信される送信状況データ２１０は、図３のＡ組の送受信状況受信部１０ａ５と図４のＢ組の送受信状況受信部１０ｂ５で受信される。
そして、Ａ組の受信体１０ａの送信回数１回が、Ａ組の送受信状況伝達部１０ａ７及びＢ組の送受信状況伝達部１０ｂ７に伝えられる。
こうして、Ａ組及びＢ組のそれぞれの操縦者は、図６の送信状況表示画面１０ａ８と図７の送信状況表示画面１０ｂ８でＡ組の受信体１０ａの送信回数１回を、把握することができる。【０１０９】  Ａ組のデータ２００の送信は、図４のＢ組の受信部２０ｂ６で受信された。
そして、図４の記憶部２０ｂ３のＲＡＭに識別データ００１を１回受信したという回数を記憶させる。【０１１０】  このデータ２００を１回受信すると、図４のＢ組の受信体２０ｂの送受信状況送信部２０ｂ７から自組及び他組の送信体に向けて、受信状況データ２２０が単発的に送信されるとともに、その後も常時送信される。このときのデータ２２０を図５ｄ５で説明する。
２２１がデータ開始部、２２２が識別データ部（ここでは識別データ００２が該当する）、２２３が制御データ部（ここでは例として識別データ００２からの受信回数を１回として記憶せよというデータが該当する）、２２４がデータチェック部である。【０１１１】  図４のＢ組の受信体２０ｂの送受信状況送信部２０ｂ７から常時あるいは単発的に送信される受信状況データ２２０は、図４のＢ組の送受信状況受信部１０ｂ５と図３のＡ組の送受信状況受信部１０ａ５で受信される。
そして、Ｂ組の受信体１０ｂの受信回数１回が、Ｂ組の送受信状況伝達部１０ｂ７及びＡ組の送受信状況伝達部１０ａ７に伝えられる。
こうして、Ｂ組及びＡ組のそれぞれの操縦者は、図７の受信状況表示画面１０ｂ９と図６の受信状況表示画面１０ａ９でＢ組の受信体１０ｂの受信回数１回を、把握することができる。【０１１２】  なお、２回目以降の送受信状況データは、Ａ組の記憶部１０ａ３やＢ組の記憶部１０ｂ３に記憶されているプログラムによって、常に新しいものが保存される。
【産業上の利用可能性】
【０１１３】  本発明は次のようなものに利用できる。
（イ）玩具に利用できる。
例えば、Ａ組とＢ組による戦車玩具奪取ゲームを取り上げることにする。
Ａ組は送信体と受信体である戦車玩具を有し、Ｂ組は送信体と受信体である戦車玩具を有している。そして次のような奪取ゲームを行なうことにする。
このゲームは、相手（敵）組の操縦下にある戦車玩具を、自分の組の戦車玩具で砲撃（送信）して、相手（敵）組の戦車玩具が一定回数（例えば２回）被弾（受信）すると、相手（敵）組の戦車玩具を自分の組の操縦下（味方）にできるというものにする。さらに、砲撃（送信）は一定の回数（例えば１０回）しか砲撃（送信）できないものにする。
この様なゲームにおいて本発明を使用すれば、受信体である戦車玩具の受信状況（被弾状況）や送信状況（砲撃回数と砲弾の残りの回数）が把握でき、自組の受信体が他組に奪われないように、真に迫ったゲームになり、面白さが一段と増すようになる。
（ロ）自動車の盗難防止に利用できる。
自動車の中には、運転者が送信体であるキーを操作して、受信体である自動車のエンジンを遠隔的にかけたり止めたりできるものがある。
この様な自動車に本発明を取り入れれば、運転者が車庫に置いて家の中にいるとき、車庫に泥棒が入り、自動車のドアを開け、キーを差し込んで、自動車を盗もうとしても、自動車から送信体を常備している運転者に、自動車の状況を知らせることができるので、運転者は自動車のエンジンをただちに止めることが可能になり、泥棒を未然に防ぐことができる。
【図面の簡単な説明】
【０２００】
【図１】は、従来の２方向送受信システ厶の主要部を示した概念図である。
【図２】は、本発明に係る送受信システムの主要部を示した概念図である。
【図３】は、本発明に係る送受信システムの送信体及び受信体の主要部を示したブロック図である。
【図４】は、本発明に係る送受信システムの送信体及び受信体の主要部を示したブロック図である。
【図５ｄ１】は、本発明に係る送受信システ厶の受信体から送信される送信状況データの構成を示した説明図である。
【図５ｄ２】は、本発明に係る送受信システムの受信体から送信される受信状況データの構成を示した説明図である。
【図５ｄ３】は、本発明に係る送受信システムの受信体から送信されるデータの構成の実施例を示した説明図である。
【図５ｄ４】は、本発明に係る送受信システムの受信体から送信される送信状況データの構成の実施例を示した説明図である。
【図５ｄ５】は、本発明に係る送受信システムの受信体から送信される受信状況データの構成を実施例を示した説明図である。
【図６】と
【図７】は、本発明に係る送受信システ厶の送信体の機能ボタンや送受信状況表示画面の配置の具体例を示した図である。
【符号の説明】
【０３００】１ａ  送信体    １ａ１  制御手段    １ａ２  受信手段
１ａ３  自他組の受信体の送受信状況伝達手段
１ｂ  送信体    １ｂ１  制御手段    １ｂ２  受信手段
１ｂ３  自他組の受信体の送受信状況伝達手段
２ａ  受信体    ２ａ１  制御手段    ２ａ２  送信手段    ２ａ３  受信手段
２ｂ  受信体    ２ｂ１  制御手段    ２ｂ２  送信手段    ２ｂ３  受信手段
１０ａ  送信体    １０ａ１  制御部    １０ａ２  受信部    １０ａ３  記憶部
１０ａ４  受信体操作部    １０ａ５  送受信状況受信部    １０ａ６  被制御部
１０ａ７  送受信状況伝達部    １０ａ８  送信状況表示画面
１０ａ９  受信状況表示画面
１０ｂ  送信体    １０ｂ１  制御部    １０ｂ２  受信部    １０ｂ３  記憶部
１０ｂ４  受信体操作部    １０ｂ５  送受信状況受信部    １０ｂ６  被制御部
１０ｂ７  送受信状況伝達部    １０ｂ８  送信状況表示画面
１０ｂ９  受信状況表示画面
１５ａ，１５ｂ，１５ｃ，１６ａ，１６ｂ，１６ｃ  操作ボタン
２０ａ  受信体      ２０ａ１  制御部      ２０ａ２  受信部
２０ａ３  記憶部    ２０ａ４  被制御部    ２０ａ５  送信部
２０ａ６  受信部    ２０ａ７  送受信状況送信部
２０ｂ  受信体      ２０ｂ１  制御部      ２０ｂ２  受信部
２０ｂ３  記憶部    ２０ｂ４  被制御部    ２０ｂ５  送信部
２０ｂ６  受信部    ２０ｂ７  送受信状況送信部
１００  データ          １０１  データ開始部    １０２  識別データ部
１０３  制御データ部    １０４  データチェック部
１１０  データ          １１１  データ開始部    １１２  識別データ部
１１３  制御データ部    １１４  データチェック部
２００  データ          ２０１  データ開始部    ２０２  識別データ部
２０３  制御データ部    ２０４  データチェック部
２１０  データ          ２１１  データ開始部    ２１２  識別データ部
２１３  制御データ部    ２１４  データチェック部
２２０  データ          ２２１  データ開始部    ２２２  識別データ部
２２３  制御データ部    ２２４  データチェック部
５０１ａ  送信体    ５０１ａ１  制御手段    ５０１ａ２  受信手段
５０１ａ３  自組の受信体の送受信状況伝達手段
５０１ｂ  送信体    ５０１ｂ１  制御手段    ５０１ｂ２  受信手段
５０１ｂ３  自組の受信体の送受信状況伝達手段
５０２ａ  送信体    ５０２ａ１  制御手段    ５０２ａ２  送信手段
５０２ａ３  受信手段
５０２ｂ  送信体    ５０２ｂ１  制御手段    ５０２ｂ２  送信手段
５０２ｂ３  受信手段
【図１】
2005143064.tif 000003
【図２】
2005143064.tif 000004
【図３】
2005143064.tif 000005
【図４】
2005143064.tif 000006
【図５ｄ１】
2005143064.tif 000007
【図５ｄ２】
2005143064.tif 000008
【図５ｄ３】
2005143064.tif 000009
【図５ｄ４】
2005143064.tif 000010
【図５ｄ５】
2005143064.tif 000011
【図６】
2005143064.tif 000012
【図７】
2005143064.tif 000013